(57)【特許請求の範囲】
【請求項１】
赤色光を発光する赤色発光素子部，緑色光を発光する緑色発光素子部及び青色光を発光する青色発光素子部を有するＬＥＤ発光体を備えた水草観賞用照明装置であって、前記赤色発光素子部から発せられる光の、ピーク波長に対応する発光強度は、前記青色発光素子部から発せられる光の、ピーク波長に対応する発光強度に対する７７％〜９７％に設定され、前記緑色発光素子部から発せられる光の、ピーク波長に対応する発光強度は、前記青色発光素子部から発せられる光の、ピーク波長に対応する発光強度に対する７０％〜９０％に設定されていることを特徴とする水草観賞用照明装置。
【請求項２】
請求項１記載の水草観賞用照明装置であって、基板体の下部に前記ＬＥＤ発光体が多数設けられた発光部を備え、前記基板体の上部には複数の放熱板が間隔を介して立設されていることを特徴とする水草観賞用照明装置。
【請求項３】
請求項２記載の観賞水草用照明装置において、前記放熱板には多数の貫通孔が設けられていることを特徴とする水草観賞用照明装置。
【請求項４】
請求項２，３いずれか１項に記載の観賞水草用照明装置において、前記発光部には前記ＬＥＤ発光体から発せられる光を拡散する光拡散板が設けられていることを特徴とする水草観賞用照明装置。
【発明の詳細な説明】
【技術分野】
【０００１】
本発明は、水草観賞用照明装置に関するものである。
【背景技術】
【０００２】
本出願人は、意匠登録第１４６４４４４号に開示される水草観賞用照明装置（以下、従来例）を提案している。
【０００３】
この従来例は、水槽の上部に載置され、水槽内を明るく照らして水草を良好に観賞できるようにしたり、水草の育成に必要な光を供給するものであり、特に屋内に設置される水草観賞用水槽には必須とされる。
【０００４】
ところで、従来例は、装置本体に設けられる発光部を構成する発光体としてＬＥＤが採用されており、蛍光灯やメタルハイドランプに比し、省電力でありコスト面に優れている。
【先行技術文献】
【特許文献】
【０００５】
【特許文献１】意匠登録第１４６４４４４号公報
【発明の概要】
【発明が解決しようとする課題】
【０００６】
本発明者は、前述したＬＥＤ発光体を備えた水草観賞用照明装置について、更なる研究を重ね、その結果、従来にない作用効果を発揮する画期的な水草観賞用照明装置を開発した。
【課題を解決するための手段】
【０００７】
添付図面を参照して本発明の要旨を説明する。
【０００８】
赤色光を発光する赤色発光素子部１Ａ，緑色光を発光する緑色発光素子部１Ｂ及び青色光を発光する青色発光素子部１Ｃを有するＬＥＤ発光体１を備えた水草観賞用照明装置であって、前記赤色発光素子部１Ａから発せられる光の、ピーク波長に対応する発光強度は、前記青色発光素子部１Ｃから発せられる光の、ピーク波長に対応する発光強度に対する７７％〜９７％に設定され、前記緑色発光素子部１Ｂから発せられる光の、ピーク波長に対応する発光強度は、前記青色発光素子部１Ｃから発せられる光の、ピーク波長に対応する発光強度に対する７０％〜９０％に設定されていることを特徴とする水草観賞用照明装置に係るものである。
【０００９】
また、請求項１記載の水草観賞用照明装置であって、基板体２の下部に前記ＬＥＤ発光体１が多数設けられた発光部３を備え、前記基板体２の上部には複数の放熱板４が間隔を介して立設されていることを特徴とする水草観賞用照明装置に係るものである。
【００１０】
また、請求項２記載の観賞水草用照明装置において、前記放熱板４には多数の貫通孔４ａが設けられていることを特徴とする水草観賞用照明装置に係るものである。
【００１１】
また、請求項２，３いずれか１項に記載の観賞水草用照明装置において、前記発光部３には前記ＬＥＤ発光体１から発せられる光を拡散する光拡散板６が設けられていることを特徴とする水草観賞用照明装置に係るものである。
【発明の効果】
【００１２】
本発明は上述のように構成したから、前述した従来例に比し、水草の色が鮮やかに見えることになり、しかも、水槽内の水草の生育が良好となるなど、従来にない作用効果を発揮する画期的な水草観賞用照明装置となる。
【図面の簡単な説明】
【００１３】
【図１】本実施例の使用状態説明図である。
【図２】本実施例を示す斜視図である。
【図３】本実施例を示す分解斜視図である。
【図４】本実施例を示す斜視図である。
【図５】本実施例の要部の説明断面図である。
【図６】本実施例の要部の拡大説明図である。
【図７】本実施例に係る発光体１を構成する赤色発光素子部１Ａ，緑色発光素子部１Ｂ及び青色発光素子部１Ｃから発せられる光の、ピーク波長に対応する発光強度の相対値を示すグラフである。
【発明を実施するための形態】
【００１４】
好適と考える本発明の実施形態を、図面に基づいて本発明の作用を示して簡単に説明する。
【００１５】
従来例は、ＬＥＤ発光体として青色ＬＥＤに黄色の蛍光材料（フィルター）を施して白色光を生成する白色ＬＥＤが採用されているが、実際に従来例を使用した場合、黄色が強く出て水草の緑色が鮮やかに出ない（水草が健康に見えない）場合があることに鑑み本発明を完成させた。
【００１６】
即ち、本発明者は、ＬＥＤ発光体として、赤色光を発光する赤色発光素子部１Ａ，緑色光を発光する緑色発光素子部１Ｂ及び青色光を発光する青色発光素子部１Ｃを有するＬＥＤ発光体１を採用し、更に、この各素子部から発せられる光の強度を適宜調整するなど種々の実験を繰り返し行うことで、水草の鑑賞及び水草の育成に適した白色光を発生させるに至った。
【００１７】
具体的には、本発明は、赤色発光素子部１Ａから発せられる光の、ピーク波長に対応する発光強度は、青色発光素子部１Ｃから発せられる光の、ピーク波長に対応する発光強度に対する７７％〜９７％に設定され、緑色発光素子部１Ｂから発せられる光の、ピーク波長に対応する発光強度は、青色発光素子部１Ｃから発せられる光の、ピーク波長に対応する発光強度に対する７０％〜９０％に設定されている。
【００１８】
実際に、本発明のＬＥＤ発光体１から水槽内の水草に対して上記白色光を照射したところ、水草の緑色が鮮やかに見え（水草が健康に見え）、しかも、水草の生育が良好となる（光合成が良好に行われるようになったと推察する。）ことを確認した。
【００１９】
即ち、水草の緑色が鮮やかに見え且つ光合成が良好に行われる各波長を本発明者は実験により見い出した。
【実施例】
【００２０】
本発明の具体的な実施例について図面に基づいて説明する。
【００２１】
本実施例は、赤色光を発光する赤色発光素子部１Ａ，緑色光を発光する緑色発光素子部１Ｂ及び青色光を発光する青色発光素子部１Ｃを有するＬＥＤ発光体１を備えた水草観賞用照明装置である。
【００２２】
具体的には、本実施例は、吊り下げワイヤー10で吊り下げ保持される本体部５に発光部３が設けられた構成である。尚、本体部５は、吊下げタイプでなく意匠登録第１４６４４４４号で開示されるような水槽11の上部に載置するタイプでも良い。
【００２３】
本体部５は、天部材５Ａ，底部材５Ｂ，前部材５Ｃ，後部材５Ｄ，左部材５Ｅ及び右部材５Ｆで構成された中空構造体であり、各部材同士はビスを介して一体に連結される。
【００２４】
天部材５Ａは、図１〜３に図示したように適宜な金属製の部材で形成した板状体であり、左右位置には吊り下げワイヤー10が連結される連結孔５ａが設けられている。
【００２５】
従って、本実施例は、水槽台12に設けられるスタンド13から垂下される２本の吊り下げワイヤー10の下端部が天部材５Ａに連結され、水槽台12に載置される水槽11の上方位置に配される。符号５ａ’は後述する電源コード14を挿通する孔である。
【００２６】
底部材５Ｂは、図３，５に図示したように適宜な金属製の部材（伝熱性の高い金属部材）で形成した板状体であり、上面部には後述する多数の放熱板４が立設され、下面部には後述する発光部３を構成する基板体２及び光拡散板６が設けられている。
【００２７】
放熱板４は、図１〜５に図示したように適宜な金属製の板部材（伝熱性の高い金属部材）で形成した全て同形状の板状体であり、この多数の放熱板４が底部材５Ｂの上面部にして該底部材５Ｂの巾方向に間隔を介して立設されている。
【００２８】
また、放熱板４には多数の円形の貫通孔４ａが設けられている。
【００２９】
従って、この各放熱板４により良好な放熱効果が得られ、しかも、この各放熱板４全てに多数の貫通孔４ａが形成されることで本体部５内に空気が流れる通気路が形成され、内部に空気がこもることなく良好な冷却効果が得られることになる。
【００３０】
本実施例は、後述するように多数のＬＥＤ発光体１（ＲＧＢ  ＬＥＤ）を使用することになる為、発熱量は多く、この点おいても前述した良好な放熱効果を具備することは有意であり、ＬＥＤ発光体１の寿命を長くする構造として秀れている。
【００３１】
前部材５Ｃ及び後部材５Ｄは、図１〜５に図示したように適宜な金属製の部材で形成した長尺体であり、この前部材５Ｃ及び後部材５Ｄの左右端部は左側部材５Ｅ及び右側部材５Ｆ夫々に連結される。
【００３２】
左側部材５Ｅ及び右側部材５Ｆは、図１〜４に図示したように適宜な金属製の部材で形成した板状体であり、天部材５Ａ，底部材５Ｂ，前部材５Ｃ及び後部材５Ｄ夫々の左右端部に連結される。
【００３３】
また、左側部材５Ｅ及び右側部材５Ｆ夫々には窓孔５ｅ，５ｆが設けられており、この窓孔５ｅ，５ｆから本体部５内外の空気の出入を可能としている。
【００３４】
発光部３は、図４，５，６に図示しようたように基板体２の下部に多数のＬＥＤ発光体１を縦横に設けて構成されており、このＬＥＤ発光体１の下方対向位置に配される光透過性を有する光拡散板６が設けられ、これら基板体２及び光拡散板６は上下方向に間隔を介して底部材５Ｂの下面部に設けられている。
【００３５】
この基板体２には電気コード14が接続される配線が設けられ、この配線上に各ＬＥＤ発光体１が設けられる。符号14ａはアダプターである。
【００３６】
このＬＥＤ発光体１を発光させた際に生じる熱は、基板体２から底部材５Ｂを介して放熱板４へ伝熱される。
【００３７】
ＬＥＤ発光体１は、図６に図示したように赤色光を発光する赤色発光素子部１Ａ，緑色光を発光する緑色発光素子部１Ｂ及び青色光を発光する青色発光素子部１Ｃを有して白色光を生成するＬＥＤ（ＲＧＢ  ＬＥＤ）である。
【００３８】
本実施例は、赤色発光素子部１Ａ，緑色発光素子部１Ｂ及び青色発光素子部１Ｃ夫々から発せられる光を種々調整し、水草の緑が鮮やかに見え、且つ、光合成の進行が最も良好となる白色光を実験により確認し、その場合の各発光素子部の発光強度を調べたところ、図７のグラフで示す発光強度であることを確認した。
【００３９】
従って、本実施例では、赤色発光素子部１Ａから発せられる光の、ピーク波長に対応する発光強度は、青色発光素子部１Ｃから発せられる光の、ピーク波長に対応する発光強度に対する８７％に設定され、緑色発光素子部１Ｂから発せられる光の、ピーク波長に対応する発光強度は、青色発光素子部１Ｃから発せられる光の、ピーク波長に対応する発光強度に対する８０％に設定されており、更に、発光強度を調整して実験を進めたところ、この各数値の±１０％の範囲で同様の結果が得られた。
【００４０】
よって、赤色発光素子部１Ａから発せられる光の、ピーク波長に対応する発光強度は、青色発光素子部１Ｃから発せられる光の、ピーク波長に対応する発光強度に対する７７％〜９７％に設定され、緑色発光素子部１Ｂから発せられる光の、ピーク波長に対応する発光強度は、青色発光素子部１Ｃから発せられる光の、ピーク波長に対応する発光強度に対する７０％〜９０％に設定される。
【００４１】
本実施例は上述のように構成したから、赤色発光素子部１Ａから発せられる光の、ピーク波長に対応する発光強度は、青色発光素子部１Ｃから発せられる光の、ピーク波長に対応する発光強度に対する８７％に設定され、緑色発光素子部１Ｂから発せられる光の、ピーク波長に対応する発光強度は、青色発光素子部１Ｃから発せられる光の、ピーク波長に対応する発光強度に対する８０％に設定されている。
【００４２】
実際に、本実施例のＬＥＤ発光体１から水槽内の水草に対して上記白色光を照射したところ、水草の緑色が鮮やかに見え（水草が健康に見え）、しかも、水草の生育が良好となる（光合成が良好に行われるようになったと推察する。）。
【００４３】
また、本実施例は、基板体２の下部に発光体１が多数設けられた発光部３を備え、基板体２の上部には複数の放熱板４が間隔を介して立設されているから、前述したＬＥＤ発光体１から発生する熱を良好に放熱することができる。
【００４４】
また、本実施例は、放熱板４には多数の貫通孔４ａが設けられているから、より一層良好な放熱が行われることになる。
【００４５】
尚、本発明は、本実施例に限られるものではなく、各構成要件の具体的構成は適宜設計し得るものである。
【符号の説明】
【００４６】
１  ＬＥＤ発光体
１Ａ  赤色発光素子部
１Ｂ  緑色発光素子部
１Ｃ  青色発光素子部
２  基板体
３  発光部
４  放熱板
４ａ  貫通孔
６  光拡散板
【図１】
0006722938.tif 000002
【図２】
0006722938.tif 000003
【図３】
0006722938.tif 000004
【図４】
0006722938.tif 000005
【図５】
0006722938.tif 000006
【図６】
0006722938.tif 000007
【図７】
0006722938.tif 000008